(57)【要約】【課題】回動自在のハンドルに連結される直線移動する固定ロッドの長さ調整を簡素な構成で行う。【解決手段】開閉自在の扉１と、扉１に設けられた回動自在のハンドル２と、ハンドル２の主軸３に固定された回動金具４と、回動金具４に連結されるとともに、回動運動を直線運動に変換し、且つ直線運動の移動距離を調整する運動変換部６、１０と、運動変換部６、１０に固定されるとともに、箱体側の係止金具に端部が差し込まれる固定ロッド７、１１と、を備えたことを特徴とする。運動変換部６、１０は、回動金具４に設けられた楕円状の貫通孔と、貫通孔の所定位置に固定される固定管と、固定管に回転自在に固定されるリンクで構成され、固定管の固定位置で固定ロッドの移動距離を調整する。【選択図】  図１
2016096693.tif 000002
【特許請求の範囲】
【請求項１】
開閉自在の扉と、
前記扉に設けられた回動自在のハンドルと、
前記ハンドルの主軸に固定された回動金具と、
前記回動金具に連結されるとともに、回動運動を直線運動に変換し、且つ直線運動の移動距離を調整する運動変換部と、
前記運動変換部に固定されるとともに、箱体側の係止金具に端部が差し込まれる固定ロッドと、
を備えたことを特徴とする金属閉鎖形スイッチギヤの扉固定装置。
【請求項２】
前記運動変換部は、前記回動金具に設けた楕円状の貫通孔と、
前記貫通孔の長円方向の所定位置に固定される固定管と、
前記固定管を回転自在に貫通する可動ピンと、
前記可動ピンで連結されるとともに、前記固定ロッドが固定されたリンクと、で構成されることを特徴とする請求項１に記載の金属閉鎖形スイッチギヤの扉固定装置。
【請求項３】
前記リンクをＬ字状にしたことを特徴とする請求項２に記載の金属閉鎖形スイッチギヤの扉固定装置。
【請求項４】
前記貫通孔の周りに複数の溝を設けたことを特徴とする請求項２または請求項３に記載の金属閉鎖形スイッチギヤの扉固定装置。
【請求項５】
前記貫通孔に複数の窪み部を設けたことを特徴とする請求項２乃至請求項４のいずれか１項に記載の金属閉鎖形スイッチギヤの扉固定装置。
【発明の詳細な説明】
【技術分野】
【０００１】
本発明の実施形態は、正面扉や背面扉を固定する金属閉鎖形スイッチギヤの扉固定装置に関する。
【背景技術】
【０００２】
従来、金属閉鎖形スイッチギヤの開閉自在の正面扉や背面扉には、扉の固定のため、回動自在のハンドルに連結された上下方向に移動自在の固定ロッドが設けられている。扉を閉じたとき、ハンドルを回動させて固定ロッドの端部を箱体の天井側と床側に設けた係止金具に差し込み、扉を固定するようになっている。（例えば、特許文献１参照）。
【０００３】
一方、客先の都合、他社設備との兼合い、収納機器などによって箱体の高さを変える必要があり、それに伴って、固定ロッドの長さを変更しなければならなかった。更には、据付け時の高さ調整から、固定ロッドの長さも調整が必要であった。しかしながら、ハンドルと固定ロッドの連結には、回動運動を直線運動に変換しなければならず、多数のリンクなどが必要であり、部品点数が多くなっていた。なお、運動を変換しない直線移動をするものでは、長さ調整にボルト貫通孔を楕円状とし、部品点数の削減を図ったものが知られている（例えば、特許文献２参照）。
【先行技術文献】
【特許文献】
【０００４】
【特許文献１】特開２０１１−２２３７８０号公報
【特許文献２】特開２０１３−５５０５号公報
【発明の概要】
【発明が解決しようとする課題】
【０００５】
本発明が解決しようとする課題は、回動自在のハンドルに連結される直線移動する固定ロッドの長さ調整を簡素な構成で行い、部品点数の削減を図ることができる金属閉鎖形スイッチギヤの扉固定装置を提供することにある。
【課題を解決するための手段】
【０００６】
上記課題を解決するために、実施形態の金属閉鎖形スイッチギヤの扉固定装置は、開閉自在の扉と、前記扉に設けられた回動自在のハンドルと、前記ハンドルの主軸に固定された回動金具と、前記回動金具に連結されるとともに、回動運動を直線運動に変換し、且つ直線運動の移動距離を調整する運動変換部と、前記運動変換部に固定されるとともに、箱体側の係止金具に端部が差し込まれる固定ロッドと、を備えたことを特徴とする。
【図面の簡単な説明】
【０００７】
【図１】本発明の実施例１に係る金属閉鎖形スイッチギヤの扉固定装置の構成を示す図。
【図２】本発明の実施例１に係る金属閉鎖形スイッチギヤの扉固定装置の構成を示す要部拡大図。
【図３】本発明の実施例２に係る金属閉鎖形スイッチギヤの扉固定装置の構成を示す要部拡大図。
【図４】本発明の実施例３に係る金属閉鎖形スイッチギヤの扉固定装置の構成を示す要部拡大図。
【図５】本発明の実施例４に係る金属閉鎖形スイッチギヤの扉固定装置の構成を示す要部拡大図。
【発明を実施するための形態】
【０００８】
以下、図面を参照して本発明の実施例を説明する。
【実施例１】
【０００９】
先ず、金属閉鎖形スイッチギヤの扉固定装置を図１、図２を参照して説明する。図１は、本発明の実施例１に係る金属閉鎖形スイッチギヤの扉固定装置の構成を示す図であり、（ａ）は、正面図、（ｂ）は、側面断面図、図２は、本発明の実施例１に係る金属閉鎖形スイッチギヤの扉固定装置の構成を示す要部拡大図であり、（ａ）は、正面図、（ｂ）は、側面断面図である。なお、正面扉と背面扉の構成は同様である。
【００１０】
図１に示すように、開閉自在の正面扉１の図示左側の表面中間部には、回動自在のハンドル２が設けられている。ハンドル２の主軸３は、正面扉１を貫通し、裏面で板状の回動金具４の中間部に固定されている。回動金具４の一方端には、回動金具４の端部を挟むようなコ字状の上部側リンク５が上部側運動変換部６で連結されている。上部側リンク５には、コ字状の底面に棒状の上部側固定ロッド７の一方端が溶接などで固定されており、他方端が正面扉１に固定された上部側ガイド板８を移動自在に貫通している。上部側固定ロッド７の他方端は、図示しない箱体側の天井側の係止金具に差し込まれるようになっている。
【００１１】
回動金具４の他方端には、一方端と同様に、回動金具４の端部を挟むようなコ字状の下部側リンク９が下部側運動変換部１０で連結されている。下部側リンク９には、コ字状の底面に棒状の下部側固定ロッド１１の一方端が溶接などで固定されており、他方端が正面扉１に固定された下部側ガイド板１２を移動自在に貫通している。下部側固定ロッド１１の他方端は、図示しない箱体側の床側の係止金具に差し込まれるようになっている。正面扉１の図示左側には、開閉の支点となるヒンジ１３が設けられている。
【００１２】
次に、上部側運動変換部６の構成を図２を参照して説明する。なお、下部運動変換部１０も同様の構成であり、以下、上部側を用いて説明する。
【００１３】
図２に示すように、回動金具４の一方端には、長さ方向が長円の楕円状（レーストラック状）の貫通孔１４が設けられており、パイプ状の固定管１５が貫通している。固定管１５の両端には、外周にネジ部が設けられており、ナット１６を螺合させ、固定管１５が楕円状の所定位置に固定されるようになっている。固定管１５内と上部側リンク５のコ字状側の貫通孔には、回転自在の可動ピン１７が貫通している。上部側リンク５には、上部側固定ロッド７が固定されている。可動ピン１７の両端には、抜け防止のＣリング１８が設けられている。貫通孔１４の短円側の内径は、固定管１５の外径よりも小さい。
【００１４】
これにより、楕円状の貫通孔１４により、固定管１５の位置を調整することができ、上部側固定ロッド７が移動する距離を調整することができる。即ち、固定管１５を貫通孔１４の主軸３側に固定すれば移動距離を短く、反主軸３側に固定すれば移動距離を長くすることができ、主軸３から上部側固定ロッド７先端までの長さを調整することができる。また、固定管１５に可動ピン１７を貫通させているので、回動運動する回動金具４を直線運動する上部側固定ロッド７に変換することができ、簡易な構成で運動を変換させることができる。
【００１５】
ここで、上部側運動変換部６は、回動金具４の回動運動を直線運動に変換するとともに、連結された上部側固定ロッド７の移動距離を調整することができるものであるので、回動運動を直線運動に変換し、直線運動の移動距離を調整できるものと定義する。
【００１６】
上記実施例１の金属閉鎖形スイッチギヤの扉固定装置によれば、ハンドル２の主軸３に固定された回動金具４に、楕円状の貫通孔１４を設けて固定管１５を所定位置に固定し、上部側、下部側固定ロッド７、１１に固定された上部側、下部側リンク５、９を可動ピン１７により回動自在に連結しているので、簡素な構成で回動運動を直線運動に変換させることができる。また、貫通孔１４内で固定管１５の位置を調整することにより、上部側、下部側固定ロッド７、１１が移動する距離を調整することができる。
【実施例２】
【００１７】
次に、本発明の実施例２に係る金属閉鎖形スイッチギヤの扉固定装置を図３を参照して説明する。図３は、本発明の実施例２に係る金属閉鎖形スイッチギヤの扉固定装置の構成を示す要部拡大図であり、（ａ）は、正面図、（ｂ）は、側面断面図である。なお、この実施例２が実施例１と異なる点は、上部側リンクをＬ字状としたことである。図３において、実施例１と同様の構成部分においては、同一符号を付し、その詳細な説明を省略する。
【００１８】
図３に示すように、回動金具４には、Ｌ字状の上部側リンク５を可動ピン１７で連結している。回動金具４には、貫通孔１４の短円側の内径よりも直径の大きい押さえ板１９を介して固定管１５を固定している。押さえ板１９の中心には、可動ピン１７が回動自在に貫通している。なお、上部側固定ロッド７が片側だけの固定となるので、上部側固定ロッド７が短尺など軽量のものに適する。
【００１９】
上記実施例２の金属閉鎖形スイッチギヤの扉固定装置によれば、実施例１による効果のほかに、上部運動変換部６の構成を簡素化することができる。
【実施例３】
【００２０】
次に、本発明の実施例３に係る金属閉鎖形スイッチギヤの扉固定装置を図４を参照して説明する。図４は、本発明の実施例３に係る金属閉鎖形スイッチギヤの扉固定装置の構成を示す要部拡大図であり、（ａ）は、正面図、（ｂ）は、側面断面図である。なお、この実施例３が実施例２と異なる点は、貫通孔の周りに溝を設けたことである。図４において、実施例２と同様の構成部分においては、同一符号を付し、その詳細な説明を省略する。
【００２１】
図４に示すように、回動金具４の貫通孔１４の周りには、複数本の溝２０を設けている。これにより、回動金具４の表面が凸凹となり、ナット１６や押さえ板１９が滑り難くなり、固定管１５を貫通孔１４の所定位置に確実に固定できるようになる。
【００２２】
上記実施例３の金属閉鎖形スイッチギヤの扉固定装置によれば、実施例２による効果のほかに、固定管１５の位置調整が容易となり、上部側固定ロッド７の長さ調整を容易とすることができる。
【実施例４】
【００２３】
次に、本発明の実施例４に係る金属閉鎖形スイッチギヤの扉固定装置を図５を参照して説明する。図５は、本発明の実施例４に係る金属閉鎖形スイッチギヤの扉固定装置の構成を示す要部拡大図であり、（ａ）は、正面図、（ｂ）は、側面断面図である。なお、この実施例４が実施例３と異なる点は、貫通孔に複数の窪み部を設けたことである。図５において、実施例３と同様の構成部分においては、同一符号を付し、その詳細な説明を省略する。
【００２４】
図５に示すように、回動金具４の貫通孔１４には、長円方向に複数の窪み部２１を設けている。窪み部２１は、固定管１５の外径と同様の半円状の内径を有している。
【００２５】
上記実施例４の金属閉鎖形スイッチギヤの扉固定装置によれば、実施例３による効果のほかに、窪み部２１に固定管１５を嵌め込むことにより、固定管１５の位置調整を容易とすることができる。
【００２６】
以上述べたような実施形態によれば、回動自在の回動金具に直線移動自在の固定ロッドを楕円状を有する運動変換部で連結しているので、回動運動を容易に直線運動に変換させることがでる。また、直線移動する固定ロッドの移動する距離を容易に調整することができる。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
１  正面扉（扉）
２  ハンドル
４  回動金具
５  上部側リンク（リンク）
６  上部側運動変換部（運動変換部）
７  上部側固定ロッド（固定ロッド）
９  下部側リンク（リンク）
１０  下部側運動変換部（運動変換部）
１１  下部側固定ロッド（固定ロッド）
１４  貫通孔
１５  固定管
１７  可動ピン
２０  溝
２１  窪み部
【図１】
2016096693.tif 000003
【図２】
2016096693.tif 000004
【図３】
2016096693.tif 000005
【図４】
2016096693.tif 000006
【図５】
2016096693.tif 000007